(57)【要約】【課題】少ない回路規模及び少ない演算量で指向性送信すること。【解決手段】乗算器２０１−１１〜２０１−２２は、送信信号に指向性送信用のウェイトを乗算する。ＭＵＸ２０２−１は、アンテナ２０８−１から送信するユーザ１及びユーザ２に送信する送信信号を多重化する。Ｓ／Ｐ変換器２０３−１は、送信信号をシリアルデータからパラレルデータに変換する。ＦＦＴ２０４−１は、送信データを高速フーリエ変換する。加算器２０５−１は、ＦＦＴ２０４−１から出力された送信信号を加算する。ガードインターバル挿入部２０６−１は、送信信号のレプリカをガードインターバルとして送信データに付加する。送信ＲＦ部２０７−１は、送信信号を無線周波数に変換し、アンテナ２０８−１を介して送信する。【選択図】図２
2008312259.tif 000002
【特許請求の範囲】
【請求項１】
送信するアンテナ別で送信信号に指向性送信のウェイトを乗算する乗算手段と、送信するアンテナ別にウェイト乗算後の送信信号を複数のサブキャリアに重畳するＦＦＴ手段と、複数のサブキャリアに重畳された送信信号を送信する複数のアンテナと、を具備することを特徴とする指向性送信装置。
【請求項２】
ウェイト乗算後の送信信号を複数のサブキャリアにマッピングするシリアルパラレル変換手段を具備し、ＦＦＴ手段は、マッピング後の送信信号を複数のサブキャリアに重畳することを特徴とする請求項１に記載の指向性送信装置。
【請求項３】
送信信号を複数のサブキャリアにマッピングするシリアルパラレル変換手段を具備し、乗算手段は、マッピング後の送信信号に指向性送信のウェイトを乗算することを特徴とする請求項１に記載の指向性送信装置。
【請求項４】
送信信号を複数のサブキャリアに分配する直交変換手段と、サブキャリアに分配された送信信号を送信相手別に加算する加算手段と、送信相手別、かつ送信するアンテナ別で加算後の送信信号に指向性送信のウェイトを乗算する乗算手段と、ウェイト乗算後の送信信号を送信する複数のアンテナと、を具備することを特徴とする指向性送信装置。
【請求項５】
請求項１から請求項４のいずれかに記載の指向性送信装置を具備することを特徴とする基地局装置。
【請求項６】
送信するアンテナ別で送信信号に指向性送信のウェイトを乗算し、ウェイト乗算後の送信信号を複数のサブキャリアにマッピングし、送信するアンテナ別にパラレルデータに変換後の送信信号を複数のサブキャリアに重畳し、複数のサブキャリアに重畳された送信信号を各アンテナから送信することを特徴とする指向性送信方法。
【請求項７】
送信信号を複数のサブキャリアにマッピングし、送信するアンテナ別でマッピング後の送信信号に指向性送信のウェイトを乗算し、送信するアンテナ別にウェイト乗算後の送信信号を複数のサブキャリアに重畳し、複数のサブキャリアに重畳された送信信号を各アンテナから送信することを特徴とする指向性送信方法。
【請求項８】
送信信号を複数のサブキャリアに分配し、サブキャリアに分配された送信信号を送信相手別に加算し、送信相手別かつ送信するアンテナ別で加算後の送信信号に指向性送信のウェイトを乗算し、ウェイト乗算後の送信信号を各アンテナから送信することを特徴とする指向性送信方法。
【発明の詳細な説明】
【技術分野】
【０００１】
本発明は、指向性送信装置及び指向性送信方法に関し、特にＯＦＤＭ方式とアダプティブアレーアンテナを組み合わせた通信に用いて好適な指向性送信装置及び指向性送信方法に関する。
【背景技術】
【０００２】
近年、周波数効率の良い無線通信方式として、ＯＦＤＭ（Orthogonal  Frequency-Division  Multiplexing）方式がある。ＯＦＤＭ方式は、マルチキャリア通信方式の一つであり、各サブキャリアを直交するように配置して多重化する通信方式であり、高い伝送効率が得られることを特徴とする。
【０００３】
また、無線信号を指向性送信する方法として、ＡＡＡ（Adaptive  Antenna  Arrays）がある。ＡＡＡでは、送信する信号に相異なるウェイトを乗算し、この信号を相異なるアンテナから送信する。この結果、受信側でそれぞれのアンテナから送信された信号が強調する方向と、弱めあう方向ができ、送信側において、指向性送信をすることができる。
【発明の開示】
【発明が解決しようとする課題】
【０００４】
このようなアレーアンテナを用いて指向性送信する通信方法とマルチキャリア通信方法とを組み合わせて複数のユーザと通信を行う装置を実現する場合、回路規模が大きくなり、演算量が増大する問題がある。
【０００５】
具体的には、送信信号に指向性送信用のウェイトを乗算の処理の数が、アレーアンテナの数とサブキャリアの数を乗算した数だけ必要となる。
【０００６】
本発明はかかる点に鑑みてなされたものであり、少ない演算量で指向性送信する指向性送信装置及び指向性送信方法を提供することを目的とする。
【課題を解決するための手段】
【０００７】
本発明の指向性送信装置は、送信するアンテナ別で送信信号に指向性送信のウェイトを乗算する乗算手段と、送信するアンテナ別にウェイト乗算後の送信信号を複数のサブキャリアに重畳するＦＦＴ手段と、複数のサブキャリアに重畳された送信信号を送信する複数のアンテナと、を具備する構成を採る。
【０００８】
この構成によれば、送信するアンテナ別で送信信号に指向性送信のウェイトを乗算した後、複数のサブキャリアに重畳して各アンテナから送信することにより、少ない回路規模及び少ない演算量で指向性送信することができる。
【０００９】
本発明の指向性送信装置は、ウェイト乗算後の送信信号を複数のサブキャリアにマッピングするシリアルパラレル変換手段を具備し、ＦＦＴ手段は、マッピング後の送信信号を複数のサブキャリアに重畳する構成を採る。
【００１０】
この構成によれば、指向性送信のウェイト乗算後の送信信号を複数のキャリアに重畳して複数のアンテナから送信することにより、ウェイトを乗算する乗算器をユーザ数とアンテナ数の乗算値とすることができ、送信信号を多重するキャリア数の多い通信において、装置規模を小さくすることができる。
【００１１】
本発明の指向性送信装置は、送信信号を複数のサブキャリアにマッピングするシリアルパラレル変換手段を具備し、乗算手段は、マッピング後の送信信号に指向性送信のウェイトを乗算する構成を採る。
【００１２】
この構成によれば、パラレルデータに変換後の送信データにアンテナ別に指向性送信のウェイトを乗算し、乗算後の送信信号を複数のキャリアに重畳し、ＦＦＴ後に複数のアンテナから送信することにより、ウェイトを乗算する送信信号の桁数を小さくすることができ、乗算器毎の演算量を小さくすることができる。
【００１３】
本発明の指向性送信装置は、送信信号を複数のサブキャリアに分配する直交変換手段と、サブキャリアに分配された送信信号を送信相手別に加算する加算手段と、送信相手別、かつ送信するアンテナ別で加算後の送信信号に指向性送信のウェイトを乗算する乗算手段と、ウェイト乗算後の送信信号を送信する複数のアンテナと、を具備する構成を採る。
【００１４】
この構成によれば、各キャリアの信号を送信するユーザ別、かつ送信するアンテナ別に加算した後、指向性送信のウェイトを乗算することにより、異なるキャリアの信号も同じ乗算器でウェイトを乗算することができ、乗算器の数を少なくすることができる。
【００１５】
本発明の基地局装置は、上記の指向性送信装置を具備する構成を採る。
【００１６】
この構成によれば、送信するアンテナ別で送信信号に指向性送信のウェイトを乗算し、送信するアンテナ別にウェイト乗算後の送信信号を複数のサブキャリアに重畳し、複数のサブキャリアに重畳された送信信号を各アンテナから送信することにより、少ない回路規模及び少ない演算量で指向性送信することができる。
【００１７】
本発明の指向性送信方法は、送信するアンテナ別で送信信号に指向性送信のウェイトを乗算し、ウェイト乗算後の送信信号を複数のサブキャリアにマッピングし、送信するアンテナ別にパラレルデータに変換後の送信信号を複数のサブキャリアに重畳し、複数のサブキャリアに重畳された送信信号を各アンテナから送信するようにした。
【００１８】
この方法によれば、指向性送信のウェイト乗算後の送信信号を複数のキャリアに重畳して複数のアンテナから送信することにより、ウェイトを乗算する乗算器をユーザ数とアンテナ数の乗算値とすることができ、送信信号を多重するキャリア数の多い通信において、装置規模を小さくすることができる。
【００１９】
本発明の指向性送信方法は、送信信号を複数のサブキャリアにマッピングし、送信するアンテナ別でマッピング後の送信信号に指向性送信のウェイトを乗算し、送信するアンテナ別にウェイト乗算後の送信信号を複数のサブキャリアに重畳し、複数のサブキャリアに重畳された送信信号を各アンテナから送信するようにした。
【００２０】
この方法によれば、パラレルデータに変換後の送信データにアンテナ別に指向性送信のウェイトを乗算し、乗算後の送信信号を複数のキャリアに重畳して複数のアンテナから送信することにより、ウェイトを乗算する送信信号の桁数を小さくすることができ、乗算器毎の演算量を小さくすることができる。
【００２１】
本発明の指向性送信方法は、送信信号を複数のサブキャリアに分配し、サブキャリアに分配された送信信号を送信相手別に加算し、送信相手別かつ送信するアンテナ別で加算後の送信信号に指向性送信のウェイトを乗算し、ウェイト乗算後の送信信号を各アンテナから送信するようにした。
【００２２】
この方法によれば、各キャリアの信号を送信するユーザ別、かつ送信するアンテナ別に加算した後、指向性送信のウェイトを乗算することにより、異なるキャリアの信号も同じ乗算器でウェイトを乗算することができ、乗算器の数を少なくすることができる。
【発明の効果】
【００２３】
本発明の指向性送信装置及び指向性送信方法によれば、送信データをシリアルデータからパラレルデータに変換し、変換後の送信データにアンテナ別に指向性送信のウェイトを乗算し、乗算後の送信信号を複数のキャリアに重畳し、複数のアンテナから送信することにより、少ない演算量で指向性送信することができる。
【発明を実施するための最良の形態】
【００２４】
本発明の対象となるアレーアンテナを用いて指向性送信するマルチキャリアで複数のユーザと通信を行う指向性送信装置において、予想される構成を以下に示す。
【００２５】
図１は、指向性送信装置の構成を示すブロック図である。図１の指向性送信装置１００は、ＭＵＸ１０１と、Ｓ／Ｐ変換器１０２と、ＦＦＴ１０３と、乗算器１０４−１１〜１０４−１４と、乗算器１０４−２１〜１０４−２４と、加算器１０５−１と、加算器１０５−２と、ガードインターバル挿入部１０６−１と、ガードインターバル挿入部１０６−２と、送信ＲＦ部１０７−１と、送信ＲＦ部１０７−２と、アンテナ１０８−１と、アンテナ１０８−２とから主に構成される。
【００２６】
図１において、ＭＵＸ１０１は、ユーザ１に送信する信号とユーザ２に送信する信号を多重し、多重化した送信信号をＳ／Ｐ変換器１０２に出力する。Ｓ／Ｐ変換器１０２は、送信データをシリアルデータからパラレルデータに変換し、この送信データをＦＦＴ１０３に出力する。
【００２７】
ＦＦＴ１０３は、送信データを高速フーリエ変換し、この送信データを乗算器１０４−１１〜１０４−１４と乗算器１０４−２１〜１０４−２４に出力する。
【００２８】
例えば、ＦＦＴ１０３は、サブキャリアｆ１でユーザ１宛に送信する送信信号を乗算器１０４−１１と乗算器１０４−２１に出力し、サブキャリアｆ３でユーザ１宛に送信する送信信号を乗算器１０４−１３と乗算器１０４−２３に出力する。
【００２９】
また、ＦＦＴ１０３は、サブキャリアｆ２でユーザ２宛に送信する送信信号を乗算器１０４−１２と乗算器１０４−２２に出力し、サブキャリアｆ４でユーザ２宛に送信する送信信号を乗算器１０４−１４と乗算器１０４−２４に出力する。
【００３０】
乗算器１０４−１１〜１０４−１４は、送信信号に、指向性送信用のウェイトを乗算し、加算器１０５−１に出力する。具体的には、乗算器１０４−１１と乗算器１０４−１３は、ユーザ１宛の送信信号に、アンテナ１０８−１から送信する指向性のウェイトを乗算し、乗算器１０４−１２と乗算器１０４−１４は、ユーザ２宛の送信信号に、アンテナ１０８−１から送信する指向性のウェイトを乗算する。
【００３１】
また、乗算器１０４−２１〜１０４−２４は、送信信号に、指向性送信用のウェイトを乗算し、加算器１０５−２に出力する。具体的には、乗算器１０４−２１と乗算器１０４−２３は、ユーザ１宛の送信信号に、アンテナ１０８−２から送信する指向性のウェイトを乗算し、乗算器１０４−２２と乗算器１０４−２４は、ユーザ２宛の送信信号に、アンテナ１０８−２から送信する指向性のウェイトを乗算する。
【００３２】
加算器１０５−１は、乗算器１０４−１１〜乗算器１０４−１４から出力された送信信号を加算し、加算した送信信号をガードインターバル挿入部１０６−１に出力する。また、加算器１０５−２は、乗算器１０４−２１〜乗算器１０４−２４から出力された送信信号を加算し、加算した送信信号をガードインターバル挿入部１０６−２に出力する。
【００３３】
ガードインターバル挿入部１０６−１及び１０６−２は、送信信号のレプリカをガードインターバルとして送信データに付加し、付加した送信データを送信ＲＦ部１０７−１及び１０７−２に出力する。
【００３４】
送信ＲＦ部１０７−１は、送信信号を無線周波数に変換し、アンテナ１０８−１を介して送信する。同様に、送信ＲＦ部１０７−２は、送信信号を無線周波数に変換し、アンテナ１０８−２を介して送信する。
【００３５】
本発明者は、上記構成に示すように、アレーアンテナを用いて指向性送信するマルチキャリアで複数のユーザと通信を行う場合、送信信号に指向性送信用のウェイトを乗算する乗算器の数が、通信相手の数、アレーアンテナの数、及びサブキャリアの数を乗算した数となり、必要となる乗算器の数が飛躍的に多くなる点に着目し、本発明をするに至った。
【００３６】
すなわち、本発明の骨子は、アレーアンテナを用いて指向性送信するマルチキャリア通信において、送信するアンテナ別で送信信号に指向性送信のウェイトを乗算し、送信するアンテナ別にウェイト乗算後の送信信号を複数のサブキャリアに重畳することにより乗算器の数と回路規模を小さくすることである。
【００３７】
以下、本発明の実施の形態について図面を参照して詳細に説明する。
（実施の形態１）
図２は、本発明の実施の形態１に係る指向性送信装置の構成を示すブロック図である。図２の指向性送信装置２００は、乗算器２０１−１１、２０１−１２と、乗算器２０１−２１、２０１−２２と、ＭＵＸ２０２−１、２０２−２と、Ｓ／Ｐ変換器２０３−１、２０３−２と、ＦＦＴ２０４−１、２０４−２と、加算器２０５−１、２０５−２と、ガードインターバル挿入部２０６−１、２０６−２と、送信ＲＦ部２０７−１、２０７−２と、アンテナ２０８−１、２０８−２とから主に構成される。
【００３８】
図２において、乗算器２０１−１１〜２０４−２２は、送信信号に指向性送信用のウェイトを乗算し、ＭＵＸ２０２−１、２０２−２に出力する。具体的には、乗算器２０１−１１は、ユーザ１宛の送信信号に、アンテナ２０８−１から送信する指向性のウェイトを乗算し、乗算器２０１−１２は、ユーザ２宛の送信信号に、アンテナ２０８−１から送信する指向性のウェイトを乗算する。
【００３９】
同様に、乗算器２０１−２１は、ユーザ１宛の送信信号に、アンテナ２０８−２から送信する指向性のウェイトを乗算し、乗算器２０１−２２は、ユーザ２宛の送信信号に、アンテナ２０８−２から送信する指向性のウェイトを乗算する。
【００４０】
ＭＵＸ２０２−１は、アンテナ２０８−１から送信するユーザ１及びユーザ２に送信する送信信号を多重化し、Ｓ／Ｐ変換器２０３−１に出力する。同様に、ＭＵＸ２０２−２は、アンテナ２０８−２からユーザ１及びユーザ２に送信する送信信号を多重化し、Ｓ／Ｐ変換器２０３−２に出力する。
【００４１】
Ｓ／Ｐ変換器２０３−１及び２０３−２は、送信信号をシリアルデータからパラレルデータに変換し、送信データをサブキャリアにマッピングする。そして、Ｓ／Ｐ変換器２０３−１及び２０３−２は、変換した送信データをそれぞれＦＦＴ２０４−１及び２０４−２に出力する。
【００４２】
ＦＦＴ２０４−１及びＦＦＴ２０４−２は、送信データを高速フーリエ変換し、変換した送信データをそれぞれ加算器２０５−１及び加算器２０５−２に出力する。例えば、ＦＦＴ２０４−１及びＦＦＴ２０４−２は、ユーザ１宛の送信信号をサブキャリアｆ１及びｆ３に分配し、ユーザ２宛の送信信号をサブキャリアｆ２及びｆ４に分配する。
【００４３】
加算器２０５−１は、ＦＦＴ２０４−１から出力された送信信号を加算し、加算した送信信号をガードインターバル挿入部２０６−１に出力する。同様に、加算器２０５−２は、ＦＦＴ２０４−２から出力された送信信号を加算し、加算した送信信号をガードインターバル挿入部２０６−２に出力する。
【００４４】
ガードインターバル挿入部２０６−１及び２０６−２は、送信信号のレプリカをガードインターバルとして送信データに付加し、付加した送信データを送信ＲＦ部２０７−１及び２０７−２に出力する。送信ＲＦ部２０７−１及び２０７−２は、送信信号を無線周波数に変換し、アンテナ２０８−１及び２０８−２を介して送信する。
【００４５】
ここで、図１の指向性送信装置１００と図２の指向性送信装置２００の乗算器を比較する。指向性送信装置１００は、送信信号を多重するキャリア数とアンテナの数とを乗算した数の乗算器が必要である。一方、指向性送信装置２００は、ユーザ数とアンテナの数とを乗算した数の乗算器が必要になる。
【００４６】
一般に、マルチキャリア通信では、数百から数千のサブキャリアに信号を多重する。従って、ユーザ数がサブキャリア数より小さい場合、指向性送信装置２００の乗算器の数は、指向性送信装置１００の乗算器の数より小さくなる。
【００４７】
このように、本実施の形態の指向性送信装置によれば、指向性送信のウェイト乗算後の送信信号を複数のキャリアに重畳して複数のアンテナから送信することにより、ウェイトを乗算する乗算器をユーザ数とアンテナ数の乗算値とすることができ、送信信号を多重するキャリア数の多い通信において、装置規模を小さくすることができる。
【００４８】
（実施の形態２）
図３は、本発明の実施の形態２に係る指向性送信装置の構成を示すブロック図である。但し、図２と同一の構成となるものについては、図２と同一番号を付し、詳しい説明を省略する。
【００４９】
図３の指向性送信装置３００は、Ｓ／Ｐ変換器３０１−１、３０１−２においてパラレル変換した送信データに、乗算器３０２−１１〜３０２−１４及び乗算器３０２−２１〜３０２−２４において指向性送信のウェイトを乗算する点が、図２の指向性送信装置２００と異なる。
【００５０】
図３において、Ｓ／Ｐ変換器３０１−１は、ユーザ１に送信する送信信号をシリアルデータからパラレルデータに変換し、送信データをサブキャリアにマッピングする。そして、Ｓ／Ｐ変換器３０１−１は、変換した送信データを乗算器３０２−１１〜３０２−１４に出力する。同様に、Ｓ／Ｐ変換器３０１−２は、ユーザ２に送信する送信信号をシリアルデータからパラレルデータに変換し、送信データをサブキャリアにマッピングする。そして、Ｓ／Ｐ変換器３０１−２は、変換した送信データを乗算器３０２−２１〜３０２−２４に出力する。
【００５１】
乗算器３０２−１１〜３０２−１４及び乗算器３０２−２１〜３０２−２４は、送信信号にユーザ別、キャリア別にウェイトを乗算し、この送信信号を送信するアンテナに対応するＭＵＸ３０３−１または３０３−２に出力する。
【００５２】
例えば、乗算器３０２−１１及び３０２−１２は、ユーザ１宛の送信信号にアンテナ２０８−１から送信する際のウェイトを乗算し、ＭＵＸ３０３−１に出力する。同様に、乗算器３０２−１３及び３０２−１４は、出力されたユーザ１宛の送信信号にアンテナ２０８−２から送信する際のウェイトを乗算し、ＭＵＸ３０３−２に出力する。
【００５３】
また、乗算器３０２−２１及び３０２−２２は、ユーザ２宛の送信信号にアンテナ２０８−１から送信する際のウェイトを乗算し、ＭＵＸ３０３−１に出力する。同様に、乗算器３０２−２１及び３０２−２２は、出力されたユーザ２宛の送信信号にアンテナ２０８−２から送信する際のウェイトを乗算し、ＭＵＸ３０３−２に出力する。
【００５４】
ＭＵＸ３０３−１は、アンテナ２０８−１から送信するユーザ１及びユーザ２に送信する送信信号を多重化し、ＦＦＴ３０４−１に出力する。同様に、３０３−２は、アンテナ２０８−２からユーザ１及びユーザ２に送信する送信信号を多重化し、ＦＦＴ３０４−２に出力する。
【００５５】
ＦＦＴ３０４−１及びＦＦＴ３０４−２は、送信データを高速フーリエ変換し、変換した送信データをそれぞれ加算器２０５−１及び加算器２０５−２に出力する。例えば、ＦＦＴ３０４−１及びＦＦＴ３０４−２は、ユーザ１宛の送信信号をサブキャリアｆ１及びｆ３に分配し、ユーザ２宛の送信信号をサブキャリアｆ２及びｆ４に分配する。
【００５６】
加算器２０５−１は、ＦＦＴ３０４−１から出力された送信信号を加算し、加算した送信信号をガードインターバル挿入部２０６−１に出力する。同様に、加算器２０５−２は、ＦＦＴ３０４−２から出力された送信信号を加算し、加算した送信信号をガードインターバル挿入部２０６−２に出力する。
【００５７】
ここで、図１の指向性送信装置１００と図３の指向性送信装置３００の乗算器で演算する信号の大きさを比較する。指向性送信装置１００は、フーリエ変換後の送信データにウェイトを乗算する。フーリエ変換後の送信データは、フーリエ変換前の送信データより１シンボルが多値で表現されている。従って、乗算器は、一度の乗算で多値である送信データの乗算を行う処理能力が要求される。
【００５８】
一方、指向性送信装置３００は、フーリエ変換前の送信データのウェイトを乗算する。フーリエ変換前の送信データは、変調によりマッピングされる送信データである。例えば、ＢＰＳＫの場合、送信データは１または−１の実数であり、ＱＰＳＫの場合、送信データは複素数（±１、±１）である。従って、指向性送信装置３００は、少ないダイナミックレンジ（桁数）で乗算処理を行うことができる。
【００５９】
このように、本実施の形態の指向性送信装置によれば、パラレルデータに変換後の送信データにアンテナ別に指向性送信のウェイトを乗算し、乗算後の送信信号を複数のキャリアに重畳し、ＦＦＴ後に複数のアンテナから送信することにより、ウェイトを乗算する送信信号の桁数を小さくすることができ、乗算器毎の演算量を小さくすることができる。
【００６０】
（実施の形態３）
図４は、本発明の実施の形態３に係る指向性送信装置の構成を示すブロック図である。但し、図２と同一の構成となるものについては、図２と同一番号を付し、詳しい説明を省略する。
【００６１】
図４の指向性送信装置４００は、各キャリアの信号を送信するユーザ別、かつ送信するアンテナ別に加算した後、指向性送信のウェイトを乗算する点が図２と異なる。
【００６２】
図４において、ＭＵＸ４０１は、ユーザ１に送信する信号とユーザ２に送信する信号を多重し、多重化した送信信号をＳ／Ｐ変換器４０２に出力する。Ｓ／Ｐ変換器４０２は、送信信号をシリアルデータからパラレルデータに変換し、送信データをサブキャリアにマッピングする。そして、Ｓ／Ｐ変換器４０２は、変換した送信信号をＦＦＴ４０３に出力する。ＦＦＴ４０３は、送信信号を高速フーリエ変換し、この送信信号を加算器４０４−１と加算器４０４−２に出力する。
【００６３】
加算器４０４−１と加算器４０４−２は、ＦＦＴ４０３から出力された送信信号を、信号を送信するユーザ別に加算し、加算結果を乗算器４０５−１１、４０５−１２、４０５−２１、及び４０５−２２に出力する。
【００６４】
具体的には、加算器４０４−１は、アンテナ２０８−１から送信するユーザ１に送信する送信データを加算し、加算結果を乗算器４０５−１１と加算器４０５−２１に出力する。また、加算器４０４−２は、ユーザ１に送信する送信データを加算し、加算結果を乗算器４０５−１２と加算器４０５−２２に出力する。
【００６５】
乗算器４０５−１１は、ユーザ１宛の送信信号に、アンテナ２０８−１から送信する指向性のウェイトを乗算し、乗算器４０５−１２は、ユーザ２宛の送信信号に、アンテナ２０８−１から送信する指向性のウェイトを乗算する。そして、乗算器４０５−１１と乗算器４０５−１２は、送信信号を加算器４０６−１に出力する。
【００６６】
また、乗算器４０５−２１は、ユーザ１宛の送信信号に、アンテナ２０８−２から送信する指向性のウェイトを乗算し、乗算器４０５−２２は、ユーザ２宛の送信信号に、アンテナ２０８−２から送信する指向性のウェイトを乗算する。そして、乗算器４０５−２１と乗算器４０５−２２は、送信信号を加算器４０６−２に出力する。
【００６７】
加算器４０６−１は、アンテナ２０８−１から送信する信号、すなわち乗算器４０５−１１と乗算器４０５−１２から出力された送信信号を加算し、加算した送信信号をガードインターバル挿入部２０６−１に出力する。同様に、加算器４０６−２は、アンテナ２０８−２から送信する信号、すなわち乗算器４０５−２１と乗算器４０５−２２から出力された送信信号を加算し、加算した送信信号をガードインターバル挿入部２０６−２に出力する。
【００６８】
ここで、図１の指向性送信装置１００と図４の指向性送信装置４００との乗算器の数を比較する。指向性送信装置１００は、サブキャリアの数にアンテナの数を乗算した数の乗算器が必要となる。一方、指向性送信装置４００は、ユーザ数にアンテナの数を乗算した数の乗算器が必要となる。
【００６９】
従って、ユーザ数がサブキャリア数より小さい場合、指向性送信装置４００の乗算器の数は、指向性送信装置１００の乗算器の数より小さくなる。一般に、マルチキャリア通信では、サブキャリア数が数百から数千であるのに対し、ユーザ数は数十である。
【００７０】
このように、本実施の形態の指向性送信装置によれば、各キャリアの信号を送信するユーザ別、かつ送信するアンテナ別に加算した後、指向性送信のウェイトを乗算することにより、異なるキャリアの信号も同じ乗算器でウェイトを乗算することができ、乗算器の数を少なくすることができる。
【００７１】
なお、本発明は上記実施の形態に限定されず、種々変更して実施することが可能である。例えば、上記実施の形態では、指向性送信装置として行う場合について説明しているが、これに限られるものではなく、この指向性送信をソフトウェアとして行うことも可能である。
【００７２】
例えば、上記指向性送信を実行するプログラムを予めＲＯＭ（Read Only Memory）に格納しておき、そのプログラムをＣＰＵ（Central Processor Unit）によって動作させるようにしても良い。
【００７３】
また、上記指向性送信を実行するプログラムをコンピュータで読み取り可能な記憶媒体に格納し、記憶媒体に格納されたプログラムをコンピュータのＲＡＭ（Random Access memory）に記録して、コンピュータをそのプログラムにしたがって動作させるようにしても良い。また、上記指向性送信を実行するＤＳＰ等に搭載して動作させるようにしても良い。
【００７４】
また、上記実施の形態の指向性送信装置は、基地局装置に具備し、同様の効果を得ることができる。
【００７５】
また、上記説明では、フーリエ変換及び逆フーリエ変換の処理は、直交変換を行う処理であればいずれも適用できる。例えば、ＤＣＴ（Discrete  Cosine  Transform）、ＤＷＴ（Discrete  Wavelet  Transform）等の直交変換を用いてもよい。
【産業上の利用可能性】
【００７６】
本発明は、ＯＦＤＭ方式とアダプティブアレーアンテナを組み合わせた通信に用いて好適な指向性送信装置に用いるに好適である。
【図面の簡単な説明】
【００７７】
【図１】指向性送信装置の構成を示すブロック図
【図２】本発明の実施の形態１に係る指向性送信装置の構成を示すブロック図
【図３】本発明の実施の形態２に係る指向性送信装置の構成を示すブロック図
【図４】本発明の実施の形態３に係る指向性送信装置の構成を示すブロック図
【符号の説明】
【００７８】
２０１−１１、２０１−１２、２０１−２１、２０１−２２、３０２−１１〜３０２−１４、３０２−２１〜３０２−２４、４０５−１１、４０５−１２、４０５−２１、４０５−２２  乗算器
２０２−１、２０２−２、３０３−１、３０３−２、４０１  ＭＵＸ
２０３−１、２０３−２、３０１−１、３０１−２、４０２  Ｓ／Ｐ変換器
２０４−１、２０４−２、３０４−１、３０４−２、４０３  ＦＦＴ
２０５−１、２０５−２、４０４−１、４０４−２、４０６−１、４０６−２  加算器
２０６−１、２０６−２  ガードインターバル挿入部
２０７−１、２０７−２  送信ＲＦ部
２０８−１、２０８−２  アンテナ
【図１】
2008312259.tif 000003
【図２】
2008312259.tif 000004
【図３】
2008312259.tif 000005
【図４】
2008312259.tif 000006